(57)【要約】【課題】被電解水を、供給口から導入部を介して電極板の下端側に導いて、電極板の表面全面に沿って上方へ流動させつつ電解する電解槽において、被電解水の電極板の表面全面での流れを均一にして電解効率を向上させる。【解決手段】導入部１０ｃ２を、槽本体の横方向に延びて被電解水の供給口１１に連通する第１流通路１５ａ、第１流通路１５ａの下方にて並列して延びて各電極板２２の下端の下方部に位置して各電解室Ｒ１，Ｒ２に連通する第２流通路１５ｂ、両流通路１５ａ，１５ｂを連結する第３流通路１５ｃにて構成し、各流通路のガスが滞留し易い部位を、被電解水を下降傾斜して導くための傾斜通路に形成して、ガス滞留部を解消した。【選択図】　図６
2004122027.tif 000002
【特許請求の範囲】
【請求項１】
槽本体と、同槽本体内に所定の間隔を保持して互いに対向して収容されている一対の電極板と、前記槽本体に形成され供給口から供給される被電解水を同槽本体内の前記各電極板の下端部に導入する導入部を備え、同導入部は、前記槽本体の横方向に延びて被電解水の供給口部に連通する第１の流通路と、前記槽本体の横方向に延びて前記各電極板の下端の下方部に位置して前記両電極板間の電解室に連通する第２の流通路と、前記槽本体の縦方向に延びて前記第１の流通路と前記第２の流通路を連結する第３の流通路にて構成されていて、被電解水を前記供給口から前記導入部を経て前記電解室に導入して前記各電極板の互いに対向する対向面に沿って流動させる電解槽であり、前記導入部を構成する各流通路のガスが滞留し易い部位を、被電解水を下降傾斜して導くための傾斜通路に形成していることを特徴とする電解槽。
【請求項２】
請求項１に記載の電解槽において、前記導入部を構成する第１の流通路は前記供給口とは長さ方向の中央部で連通していて、同第１の流通路は前記供給口を基点として下降傾斜する傾斜通路に形成されていることを特徴とする電解槽。
【請求項３】
請求項１に記載の電解槽において、前記導入部は少なくとも、前記第１の流通路の長さ方向の各端部に連結する複数の第３の流通路を備え、これら各第３の流通路と前記第１の流通路の連結部位を構成する通路形成面が被電解水を下降傾斜して導くための円弧状面に形成されていることを特徴とする電解槽。
【請求項４】
請求項１に記載の電解槽において、前記導入部は少なくとも、前記第１の流通路の長さ方向の各端部に連結する複数の第３の流通路を備え、これら各第３の流通路と前記第２の流通路の連結部位を構成する通路形成面が被電解水を下降傾斜して導くための円弧状面に形成されていることを特徴とする電解槽。
【請求項５】
槽本体と、同槽本体内に所定の間隔を保持して互いに対向して収容されている一対の電極板と、前記槽本体に形成されて供給される被電解水を同槽本体内の前記各電極板の下端部に導入する導入部を備え、同導入部は、前記槽本体の横方向に延びて被電解水の供給口部に連通する第１の流通路と、前記槽本体の横方向に延びて前記各電極板の下端の下方部に位置して前記両電極板間の電解室に連通する第２の流通路と、前記槽本体の縦方向に延びて前記第１の流通路と前記第２の流通路を連結する第３の流通路にて構成されていて、被電解水を前記供給口から前記導入部を経て前記電解室に導入して前記各電極板の互いに対向する対向面に沿って流動させる電解槽であり、前記導入部を構成する第１の流通路は前記供給口とは長さ方向の中央部で連通し、同第１の流通路の少なくとも長さ方向の各端部に連結する複数の第３の流通路を備え、これら各流通路の互いに連結する連結部位を構成する通路形成面は被電解水を下降傾斜して導くための円弧状面に形成され、かつ、前記各第３の流通路と前記第２の流通路の連結部位における互いに対向する通路形成面では、相対的に内側の通路形成面が外側の通路形成面に比較して大きな曲面に形成されていることを特徴とする電解槽。
【請求項６】
請求項５に記載の電解槽において、前記各第３の流通路には、同流通路に突出して前記槽本体の横方向に延びる突起部を備えていることを特徴とする電解槽。
【発明の詳細な説明】
【０００１】
【発明の属する技術分野】
本発明は、電解水生成装置の主要部を構成する電解槽に関する。
【０００２】
【従来の技術】
電解水生成装置の主要部を構成する電解槽の一形式として、槽本体と、同槽本体内に所定の間隔を保持して互いに対向して収容されている一対の電極板と、前記槽本体に形成され供給口から供給される被電解水を同槽本体内の前記各電極板の下端部に導入する導入部を備える形式の電解槽がある。当該形式の電解槽においては、電解効率を向上させるためには、前記各電極板の下端部から電解室に導入された被電解水を各電極板に沿って均一に流動させることが重要である。
【０００３】
従来の電解槽では、前記導入部を、槽本体の横方向に延びて被電解水の供給口に連通する第１の流通路と、槽本体の横方向に延びて各電極板の下端の下方部に位置して両電極板間の電解室に連通する第２の流通路と、槽本体の縦方向に延びて第１の流通路と第２の流通路を互いに連結する第３の流通路からなる構成としている。また、第３の流通路としては、互いに縦方向に並列する複数の流通路が採用されていて、場合によては、第１の流通路と各第３の流通路の連結部位に段差を設ける構成が採られる場合もある（例えば特許文献１を参照）。
【０００４】
しかして、上記した特許文献１に記載の電解槽にて採用している被電解水の導入部は、その構成上、供給口から供給される被電解水を第２の流通路に対して槽本体の横方向（換言すれば第２の流通路の長さ方向）に複数に分配して第２の流通路に導入すべく機能し、これにより、供給口から供給された被電解水が有する慣性力を緩和して、被電解水の慣性力に起因する第２の流通路での偏り、乱れ、淀み等の発生を防止して、第２の流通路から電解室へ導入される被電解水が電極板の幅方向に均一に導入されるように意図しているものである。
【０００５】
【特許文献１】
特開平７−１８５５４８号公報
【０００６】
【発明が解決しようとする課題】
ところで、上記した特許文献１に記載の電解槽にて採用している導入部は、その構造上、互いに連結される流通路間に断面積が大きく相違し、流通路の行止まり部位が存在する場合や、流通路の傾斜状態、流通路の連結部位での流れの指向方向によってはガス溜まりが発生したり、被電解水の流れに偏り、乱れ、淀み等が発生し易い。これらの現象の発生は、電解室に導入される被電解水の各電極板に沿った均一な流れを阻害することになる。
【０００７】
従って、本発明の目的は、当該形式の電解槽における被電解水の導入部を改良して、導入部でのガス溜まりや、被電解水の流れの偏り、乱れ、淀み等の発生を防止し、電解室に導入される被電解水を各電極板に沿って均一に流動させることによって、電解槽における電解効率を一層向上させることにある。
【０００８】
【課題を解決するための手段】
本発明は電解槽に関するもので、槽本体と、同槽本体内に所定の間隔を保持して互いに対向して収容されている一対の電極板と、前記槽本体に形成され供給口から供給される被電解水を同槽本体内の前記各電極板の下端部に導入する導入部を備えている形式の電解槽を適用対象とするものである。
【０００９】
しかして、本発明に係る第１の電解槽における前記導入部は、前記槽本体の横方向に延びて被電解水の供給口部に連通する第１の流通路と、前記槽本体の横方向に延びて前記各電極板の下端の下方部に位置して前記両電極板間の電解室に連通する第２の流通路と、前記槽本体の縦方向に延びて前記第１の流通路と前記第２の流通路を連結する第３の流通路にて構成されていて、被電解水を前記供給口から前記導入部を経て前記電解室に導入して前記各電極板の互いに対向する対向面に沿って流動させるものであり、前記導入部を構成する各流通路のガスが滞留し易い部位を、被電解水を下降傾斜して導くための傾斜通路に形成していることを特徴とするものである。
【００１０】
当該電解槽において、前記導入部を構成する第１の流通路は前記供給口とは長さ方向の中央部で連通していて、同第１の流通路を、前記供給口を基点として下降傾斜する傾斜通路に形成する構成を採ることができる。
【００１１】
また、当該電解槽においては、前記導入部は少なくとも、前記第１の流通路の長さ方向の各端部に連結する複数の第３の流通路を備え、これら各第３の流通路と前記第１の流通路の連結部位を構成する通路形成面を、被電解水を下降傾斜して導くための傾斜面に形成する構成を採ることができる。
【００１２】
また、当該電解槽においては、前記導入部は少なくとも、前記第１の流通路の長さ方向の各端部に連結する複数の第３の流通路を備え、これら各第３の流通路と前記第２の流通路の連結部位を構成する通路形成面を、被電解水を下降傾斜して導くための傾斜面に形成する構成を採用することができる。
【００１３】
本発明に係る第２の電解槽における前記導入部は、前記槽本体の横方向に延びて被電解水の供給口部に連通する第１の流通路と、前記槽本体の横方向に延びて前記各電極板の下端の下方部に位置して前記両電極板間の電解室に連通する第２の流通路と、前記槽本体の縦方向に延びて前記第１の流通路と前記第２の流通路を連結する第３の流通路にて構成されていて、被電解水を前記供給口から前記導入部を経て前記電解室に導入して前記各電極板の互いに対向する対向面に沿って流動させるものであり、前記導入部を構成する第１の流通路は前記供給口とは長さ方向の中央部で連通し、同第１の流通路の少なくとも長さ方向の各端部に連結する複数の第３の流通路を備え、これら各流通路の連結部位を構成する通路形成面は被電解水を下降傾斜して導くための円弧状の傾斜面に形成され、かつ、前記各第３の流通路と前記第２の流通路の連結部位における互いに対向する通路形成面では、相対的に内側の通路形成面が外側の通路形成面に比較して大きな曲面に形成されていることを特徴とするものである。
【００１４】
当該電解槽においては、前記各第３の流通路には、同流通路に突出して前記槽本体の横方向に延びる突起部を備える構成とすることができる。
【００１５】
【発明の作用・効果】
本発明が適用対象とする電解槽における導入部においては、その構成上、第１の流通路と第３の流通路の連結部位、第２の流通路における行止まりの各端部、第２の流通路における第３の流通路との連結部位の近傍等に、被電解水に混入しているエヤやその他のガスが溜り易い。導入部のおけるこれらの部位にガスが滞留（ガス留まり）すると、滞留するガスが導入部を流動する被電解水の流れを規制して、被電解水の流れに偏り乱れ、淀み等を発生させる。
【００１６】
しかしながら、本発明に係る第１の電解槽における導入部においては、被電解水に混入しているガスが滞留し易い上記した部位を、被電解水を下降傾斜して導くための傾斜通路に形成している。このため、当該導入部では、被電解水が供給されている場合には、被電解水に混入しているガスは被電解水に混入した状態で流出して、各流通路で滞留することはない。また、被電解水が供給されていない場合には、被電解水から分離するガスは各連通路に沿って被電解水の供給口まで上昇し、被電解水の供給時に、供給される被電解水とともに各流通路を経て流出する。
【００１７】
このため、本発明に係る第１の電解槽における被電解水の導入部では、被電解水から分離するガスが滞留することはなく、ガスの滞留に起因する被電解水の流れに対する影響が皆無または皆無に近く、被電解水の流れに偏り、乱れ、淀み等が発生することはない。この結果、電解室に導入された被電解水は、電解室内の各電極板に沿って均一に流動し、電解効率を向上させる。
【００１８】
また、本発明に係る第２の電解槽における導入部においては、各流通路の連結部位をガスが滞留し難い形状に構成していることから、ガスの滞留に起因する被電解水の流れの偏り、乱れ、淀み等の発生を抑制することができる。これに合わせて、当該導入部では、特に、第２の流通路における第３の流通路との連結部位を、供給される被電解水の流れを第２の流通路の長さ方向の各端部側へ指向する被電解水が有する慣性力を低減させる形状に構成している。このため、第２の流通路における被電解水の流れの偏り、乱れ、淀み等の発生が一層抑制され、被電解水を電解室の各電極板に沿って一層均一に流動させることができて、電解効率を一層向上させることができる。
【００１９】
【発明の実施の形態】
本発明は、電解水生成装置を構成する電解槽に関するもので、図１には本発明が適用対象とする形式の電解槽を示しており、図２は、当該電解槽を分解した状態の各構成部材を示している。当該電解槽は有隔膜電解槽であって、槽本体を形成する一対のセル１０ａ，１０ｂ、隔膜２１、一対の電極板２２、一対のスペーサ２３を主要構成部材としている。
【００２０】
両セル１０ａ，１０ｂは、左右対称の形状および構造を有する絶縁性の合成樹脂製のもので、それらの内側面に各電極板２２および各スペーサ２３を配置し、隔膜２１を介在させた状態で互いに重合して結合されている。これにより、両セル１０ａ，１０ｂは、隔膜２１、各電極板２２、および各スペーサ２３を収容し、電解室Ｒ１，Ｒ２を有する槽本体を構成している。
【００２１】
各電極板２２は、その一側面の略中央に設けたナット２２ａに、電極端子２２ｂを螺着することにより、各セル１０ａ、１０ｂの内側面に密着した状態に取付けられている。各スペーサ２３は、絶縁性合成樹脂製の格子状のものであって、図３に示すように、多数本の縦枠部２３ａと、各縦枠部２３ａの上下各端部に固定された一対の横枠部２３ｂにて構成されている。各スペーサ２３は、その上下の横枠部２３ｂを各セル１０ａ，１０ｂの内側面に設けた凹所にはめ込んだ状態で、各電極板２２と隔膜２１間に介在している。
【００２２】
各スペーサ２３は、各電極板２２と隔膜２１間に被電解水の流通路を形成するとともに、各電極板２２と隔膜２１との接触を防止している。これにより、槽本体内には、隔膜２１を挟んで両側に一対の電解室Ｒ１，Ｒ２が形成されている。
【００２３】
各セル１０ａ，１０ｂにおいては、被電解水を槽本体内の空間部（各電解室Ｒ１，Ｒ２）に供給するための供給口１１を下方側部に備え、かつ、電解生成水を槽本体内の各電解室Ｒ１，Ｒ２から外部へ流出するための流出口１２を上方側部に備えている。また、各セル１０ａ，１０ｂの内側面には、図３および図４に示すように、供給口１１から供給される被電解水を槽本体内の各電解室Ｒ１，Ｒ２における各電極板２２の下端側に導く導入部１０ｃを備えている。
【００２４】
導入部１０ｃは、各セル１０ａ，１０ｂの内壁面に形成されて横方向に延びる横溝にて構成された第１流通路１３ａと、各セル１０ａ，１０ｂの内壁面にて第１流通路１３ａより下方に形成されて横方向に延びる横溝にて構成された第２流通路１３ｂと、各セル１０ａ，１０ｂの内壁面にて第１流通路１３ａと第２流通路１３ｂ間に形成されて縦方向に延びる縦溝にて構成された一対の第３流通路１４ａ，１４ｂからなるもので、各電極板２２の裏面側に位置している。
【００２５】
導入部１０ｃを構成する第１流通路１３ａは、槽本体の横方向に延びて被電解水の供給口１１に連通する第１の流通路に該当し、第２流通路１３ｂは、槽本体の横方向に延びて各電極板２２の下端の下方部に位置して両電極板２２間の電解室Ｒ１，Ｒ２に連通する第２の流通路に該当し、かつ、第３流通路１４ａ，１４ｂは、槽本体の縦方向に延びて第１の流通路と第２の流通路を連結する第３の流通路に該当する。
【００２６】
導入部１０ｃにおいては、第１流通路１３ａの左右方向の略中央部に供給口１１が開口し、かつ、第２流通路１３ｂには各電極板２２と各スペーサ２３の下端部が臨んでいる。これにより、導入部１０ｃは、供給口１１から流入する被電解水を、供給口１１の出口で第１流通路１３ａの左右の方向に分配して、左右の分岐路を形成する各第３流通路１４ａ，１４ｂを通して第２流通路１３ｂに導く。すなわち、当該導入通路１０ｃは、供給口１１から槽本体内に供給される被電解水を各電極板２２の下端側に導入し、さらに各電解室Ｒ１，Ｒ２に導入する。
【００２７】
当該電解槽にあっては、各電極板２２の下端側に導入された被電解水は、各電極板２２の下端部にて反転して各電解室Ｒ１，Ｒ２に流入し、各電極板２２の表面全面に沿って上端側へ流動し、この間、被電解水は各電解室Ｒ１，Ｒ２にて電解を受けて電解生成水（電解生成酸性水および電解生成アルカリ性水）となり、各電解生成水は各流出口１２から外部へ流出する。
【００２８】
このように、当該電解槽においては、被電解水を槽本体の側部に設けた供給口１１から槽本体内の空間部である各電解室Ｒ１，Ｒ２の下方部に導入する導入部１０ｃを備えていて、供給口１１から槽本体内に供給される被電解水を供給口１１の出口で第１流通路１３ａの左右に分配して、第３流通路１４ａ，１４ｂおよび第２流通路１３ｂを通して各電極板２２の下端側の幅全体に導入するようにしている。これにより、当該電解槽においては、電解運転時、被電解水を各電極板２２の表面全面に沿って下端側から上端側へ流動させつつ電解することができて、電解効率を相当程度向上させることができる。
【００２９】
しかしながら、当該電解槽にあっては、被電解水の導入部１０ｃは、第１流通路１３ａの左右の端部が行き止まり部位１３ａ１，１３ａ２になっているとともに、各第３流通路１４ａ，１４ｂと第１，第２流通路１３ａ，１３ｂとの連結部が直交する角状屈折部位になっている。このため、これらの行き止まり部位や角状屈折部位等では、被電解水の流れに偏り、乱れ、淀み等を生じさせることになり、被電解水の各電極板２２の表面全面に沿う均一な流動が阻害されて、電解効率の著しい向上は期待し得ない。また、当該導入部１０ｃの各流通路には、被電解水に混入しているガスが滞留する部位が各所に存在する。
【００３０】
本発明は、被電解水の導入部１０ｃを改良して、電解槽の電解効率を一層向上すべく意図しているものである。図５〜図７には、改良された導入部の複数の例を示している。改良された各導入部のうち、図６および図７に示す導入部１０ｃ２，１０ｃ３は、本発明の実施形態に係る電解槽が有する導入部であり、図５に示す導入部１０ｃ１はこれらの導入部１０２，１０ｃ３と比較するための導入部１０ｃ１である。
【００３１】
図５に示す導入部１０ｃ１は、基本的には、導入部１０ｃにおける行き止まり部位１３ａ１，１３ａ２を排除しているものであって、被電解水の流れに偏り、乱れ、淀み等を発生させる大きな要因を除去しているものである。しかしながら、当該導入部１０ｃ１では、各流通路１３ａ，１３ｂや、各流通路１４ａ，１４ｂ，１４ｃ，１４ｄの各所に、ガスが滞留し易い部位（ガス滞留部Ｇ）が存在する。
【００３２】
本発明の第１の実施形態に係る電解槽が有する導入部（第１導入部１０ｃ２）では、各流通路１５ａ，１５ｂ，１５ｃを図６に示すように構成している。第１導入部１０ｃ２を構成する第１流通路１５ａは、その長さ方向の略中央部に被電解水の供給口１１が開口しているもので、供給口１１を基点として、下流側へ漸次下降傾斜する傾斜通路に形成されている。また、各第３流通路１５ｃと第１流通路１５ａおよび第２流通路１５ｂとの連結部位を構成する通路形成面は円弧状面に形成されている。特に、各第３流通路１５ｃと第２流通路１５ｂの連結部位を構成する通路形成面では、大きな曲率半径で互い拡開して対向する円弧状面に形成されている。
【００３３】
かかる構成の第１導入路１０ｃ２においては、被電解水の流動が円滑であって、被電解水の流れの偏り、乱れ、淀み等の発生を大きく抑制することができるが、特に、導入部１０ｃ１で示しているガス滞留部Ｇの形状に相当する部位はほとんど存在しない。換言すれば、第１導入部１０ｃ２には、ガスが滞留し易い部位の存在は皆無または皆無に近い。このため、第１導入部１０ｃ２には、被電解水の流れに偏り、乱れ、淀み等を発生させる大きな要因であるガスの滞留が皆無にちかく、被電解水の流れの偏り、乱れ、淀み等の発生を一層防止することができる。この結果、被電解水は、各電極板２２の表面全面に沿って一層均一に流動することになって、電解効率を一層向上させることができる。
【００３４】
本発明の第２の実施形態に係る電解槽が有する導入部（第２導入部１０ｃ３）では、各流通路１６ａ，１６ｂ，１６ｃを図７に示すように構成している。第２導入部１０ｃ３を構成する第１流通路１６ａは、その長さ方向の略中央部に被電解水の供給口１１が開口しているもので、供給口１１を基点として、左右方向に略水平状に延びているとともに、第２流通路１６ｂは、第１流通路１６ａの下方にてこれと並列的に延びている。各第３流通路１６ｃは、これらの第１流通路１６ａと第２流通路１６ｂとを互いに連結している。
【００３５】
当該導入部１０ｃ３においては、各第３流通路１６ｃの上流側部位が傾斜通路部に形成されている。各第３流通路１６ｃの傾斜通路部は外側へ漸次拡開して下降傾斜しているもので、各第３流通路１６ｃは、導入部１０ｃ３内で発生したガスの溜まりを導入部１０ｃ３の上流側および下流側へ流出すべく機能する。このため、第２導入部１０ｃ３には、被電解水の流れに偏り、乱れ、淀み等を発生させる大きな要因であるガスの滞留を抑制することができ、被電解水の流れの偏り、乱れ、淀み等の発生を一層防止し得る。この結果、被電解水は、各電極板２２の表面全面に沿って一層均一に流動することになって、電解効率を一層向上させることができる。
【００３６】
図８および図９には、本発明の第２の電解槽である実施形態（第３の実施形態）に係る電解槽の一部が示されている。当該電解槽は、第３導入部１０ｃ４を備えている。図８は、従来の電解槽のセルの内面を示す図４に対応するものである。また、図９は、図８における矢印９−９線に沿う断面図であって、当該電解槽の導入部（第３導入部１０ｃ４）の形成部位の断面を示している
図８は、当該電解槽の槽本体を構成するセル１０ａ１，１０ｂ１の内壁面の正面図であり、導入部１０ｃ４は、供給口１１を挟んで左右に延びる第１流通路１７ａと、第１流通路１７ａの下方にて並列する第２流通路１７ｂと、これら両流通路１７ａ，１７ｂを連結する４条の第３流通路１７ｃ（１７ｃ１〜１７ｃ４）にて構成されている。導入部１０ｃ４は、セル１０ａ１，１０ｂ１の内面側凹所に嵌着した蓋体１１ａ，１１ｂにて覆蓋されていて、導入部１０ｃ４を構成する第１流通路１７ａおよび各第３流通路１７ｃは槽本体内に位置し、第２流通路１７ｂは両電極板２２の下端部に下方に臨んでいて、各電解室Ｒ１，Ｒ２に連通している。
【００３７】
第３導入部１０ｃ４を構成する第１流通路１７ａは、その長さ方向の略中央部に被電解水の供給口１１が開口しているもので、供給口１１を基点として、左右方向に略水平状に延びているとともに、第２流通路１７ｂは、第１流通路１７ａの下方にてこれと並列的に延びている。各第３流通路１７ｃは、これらの第１流通路１７ａと第２流通路１７ｂとを互いに連結している。
【００３８】
第３導入部１０ｃ４においては、各流通路１７ａ，１７ｂ，１７ｃの全ての連結部位を構成する通路形成面が被電解水を下降傾斜して導くための円弧状面に形成されている。各連結部位のうち、第１流通路１７ａと左右外側の第３連通路１７ｃ１，１７ｃ４との連結部位を構成する互いに対向する通路形成面は大きな曲面に形成され、かつ、第１流通路１７ａと左右内側の第３連通路１７ｃ２，１７ｃ３との連結部位を構成する相対的に内側の通路形成面は大きな曲面に形成されている。また、特に、各第３流通路１７ｃ１〜１７ｃ４と第２流通路１７ｂの連結部位における互いに対向する通路形成面においては、相対的に内側の通路形成面が外側の通路形成面に比較して一層大きな曲面に形成されている。また、各第３流通路１７ｃ１〜１７ｃ４には、流通路側に突出して槽本体の横方向に延びる突起部１７ｄが形成されている。
【００３９】
かかる構成の第３導入部１０ｃ４においては、各流通路１７ａ，１７ｂ，１７ｃの全ての連結部位が滑らかな円弧状に形成されていて、被電解水の行き止まり部位が存在しないことから、被電解水の流動が円滑であって、被電解水の流れの偏り、乱れ、淀み等の発生を大きく抑制することができる。
【００４０】
また、当該導入部１０ｃ４では、特に、各第３流通路１７ｃ１〜１７ｃ４と第２流通路１７ｂの連結部位における互いに対向する通路形成面においては、相対的に内側の通路形成面が外側の通路形成面に比較して一層大きな曲面に形成されている。このため、各第３連通路１７ｃ１〜１７ｃ４から第２連通路１７ｂに流入する被電解水の流れは、第２流通路１７ｂの長さ方向の内側へ指向されて被電解水が有する外側へ流動する慣性力が低減され、第２流通路１７ｂにおける被電解水の流れの偏り、乱れ、淀み等の発生を一層抑制することができる。
【００４１】
さらにまた、当該導入部１０ｃ４においては、各第３流通路１７ｃ１〜１７ｃ４に、流通路側へ突出して槽本体の横方向に延びる突起部１７ｄを形成している。各突起部１７ｄは、各第３流通路１７ｃ１〜１７ｃ４を流動する被電解水の絞り部として機能し、当該絞り部は、第２流通路１７ｂ側へ流入する被電解水の流れの偏り、乱れ、淀み等を是正して、第２流通路１７ｂを流動する被電解水を均一な流れとする。この結果、被電解水を電解室Ｒ１，Ｒ２の各電極板２２に沿って一層均一に流動させることができて、電解効率を一層向上させることができる。
【図面の簡単な説明】
【図１】本発明が適用対象とする形式の電解槽の縦断側面図である。
【図２】同電解槽を分解した状態の縦断側面図である。
【図３】同電解槽を構成するセルを互いに分離した状態で内側からみた正面図である。
【図４】同セルの内面の正面図である。
【図５】同電解槽を構成する導入部の改良された導入部を示す正面図である。
【図６】本発明の第１の実施形態に係る電解槽を構成する導入部を示す正面図である。
【図７】本発明の第２の実施形態に係る電解槽を構成する導入部を示す正面図である。
【図８】本発明の第３の実施形態に係る電解槽を構成するセル内面の正面図である。
【図９】同電解槽における図８の矢印９−９線に沿う部分縦断側面図である。
【符号の説明】
１０ａ，１０ｂ…セル、１０ａ１，１０ｂ１…セル、１０ｃ，１０ｃ１，１０ｃ２，１０ｃ３，１０ｃ４…導入部、１１…供給口、１１ａ，１１ｂ…蓋体、１２…流出口、１３ａ…第１流通路、１３ａ１，１３ａ２…行き止まり部位、１３ｂ…第２流通路、１４ａ，１４ｂ…第３流通路、１５ａ，１６ａ，１７ａ…第１流通路、１５ｂ，１６ｂ，１７ｂ…第２流通路、１５ｃ，１６ｃ，１７ｃ（１７ｃ１〜１７ｃ４）…第３流通路、１７ｄ…突起部、２１…隔膜、２２…電極板、２２ａ…ナット、２２ｂ…電極端子、２３…スペーサ、２３ａ…縦枠部、２３…横枠部、Ｇ…ガス滞留部。
【図１】
2004122027.tif 000003
【図２】
2004122027.tif 000004
【図３】
2004122027.tif 000005
【図４】
2004122027.tif 000006
【図５】
2004122027.tif 000007
【図６】
2004122027.tif 000008
【図７】
2004122027.tif 000009
【図８】
2004122027.tif 000010
【図９】
2004122027.tif 000011